(57)【要約】【課題】使用者の腰に負担をかけずに効率的に浴室等の床を清掃することができるようにする。【解決手段】浴室等の水気を有する部屋の床を清掃するための清掃用具であって、ほぼ平板状をなし使用者の足にほぼ対応する底板部１０と、鼻緒９０とを有し、その底板部１０が使用者の足の下側に位置した状態で使用者の足に装着されて使用されるものである。底板部１０は、おもて側の層として、非透水性及び弾性的な可撓性を有する材質からなるおもて層１２を有し、床の側の層として、含水性を有するとともに弾性的に変形可能な材質からなる含水層１２を有する。【選択図】図１
2011067324.tif 000002
【特許請求の範囲】
【請求項１】
浴室等の水気を有する部屋の床を清掃するための清掃用具であって、
ほぼ平板状をなし使用者の足にほぼ対応する底板部を有し、その底板部が当該使用者の足の下側に位置した状態で当該使用者の足に装着されて使用されるものであり、
前記底板部のうちの少なくとも前記床の側の面を含む層が、含水性を有するとともに弾性的に変形可能な材質からなる含水層である、
清掃用具。
【請求項２】
請求項１に記載の清掃用具であって、
前記底板部は、前記含水層よりもおもて側の層として、非透水性を有する材質からなる非透水層を有する、
清掃用具。
【請求項３】
請求項２に記載の清掃用具であって、
前記非透水層は、さらに、弾性的な可撓性を有する材質からなるものである、
清掃用具。
【請求項４】
請求項１〜請求項３のいずれかに記載の清掃用具であって、
前記底板部の先端部には、上方に向かって湾曲する爪先保護部が形成されている、
清掃用具。
【請求項５】
請求項１〜請求項４のいずれかに記載の清掃用具であって、
前記底板部のうち前記使用者の踵に該当する部分には、使用の際に当該踵が露出し前記床に接触する踵露出用孔部が形成されている、
清掃用具。
【請求項６】
請求項１〜請求項４のいずれかに記載の清掃用具であって、
前記底板部のうち前記使用者の踵に該当する部分は欠落している、
清掃用具。
【請求項７】
請求項１〜請求項４のいずれかに記載の清掃用具であって、
前記底板部のうち前記使用者の踵に該当する部分には、使用の際に前記床に吸着する吸着材が設けられている、
清掃用具。
【発明の詳細な説明】
【技術分野】
【０００１】
本発明は、浴室等の水気を有する床を清掃するための清掃用具に関するものである。
【背景技術】
【０００２】
従来、浴室等の水気を有する床（正確には、浴室等、床に水気がある部屋の当該床）を清掃する際には、一般的に、次のようにされている。
清掃しようとする人は、洗浄液を含んだスポンジ等を手で把持し、屈んだ姿勢となり、そのスポンジ等によって床を擦ることによって、床の清掃を行っている。
すなわち、手でスポンジ等を床に対して圧接させつつ、そのスポンジ等を床に沿って何度も往復移動させることによって、床の清掃を行っている。
【０００３】
しかしながら、上述のように屈んだ姿勢で清掃作業を行うことは、その人の腰等に大きな負担をかけ、腰痛等の原因ともなり得る。また、床に水気があるために、上述のように屈んだ姿勢で清掃作業を行う際には、その人のスカート等の衣服が濡れるおそれがあり、それを防止するための対策も別途必要である。
さらには、上述のように洗浄液を含んだスポンジ等を手で把持して清掃作業を行うことによって、その人の手の皮膚が荒れる（手荒れが生じる）こともあり得る。
【０００４】
なお、水気を有さない一般的な床を清掃するための清掃用具としては、特許文献１及び２に開示されているものがある。
【先行技術文献】
【特許文献】
【０００５】
【特許文献１】特開平９−０３８０１０号公報
【特許文献２】特開２００７−０７５５７２号公報
【発明の概要】
【発明が解決しようとする課題】
【０００６】
本発明は、使用者の腰に負担をかけず効果的に浴室等の床を清掃することができる清掃用具を提供することを課題とする。
【課題を解決するための手段】
【０００７】
上記の課題を解決するために、請求項１に係る発明は、浴室等の水気を有する部屋の床を清掃するための清掃用具であって、ほぼ平板状をなし使用者の足にほぼ対応する底板部を有し、その底板部が当該使用者の足の下側に位置した状態で当該使用者の足に装着されて使用されるものであり、前記底板部のうちの少なくとも前記床の側の面を含む層が、含水性を有するとともに弾性的に変形可能な材質からなる含水層である、清掃用具である。
【０００８】
この発明の清掃用具では、次の作用効果が得られる。
すなわち、この清掃用具が使用者の足に装着され、含水層に洗浄液が含浸された状態で、使用者が足に所定の体重をかけ（その際、含水層が弾性的に圧縮される）、その足を床上において移動させることによって、その床の清掃が行われる。
こうして、使用者は、腰を屈めることなく床の清掃を行うことができ、腰痛等の発生も防止することができる。また、床に対して含水層を容易に圧接させることができ、効果的に清掃することができる。また、腰を屈める必要がないために、使用者のスカート等の被服が濡れるおそれもなく、使用者は靴下を脱ぐのみで足りることとなる。さらには、使用者の手荒れを防止することもできる。
【０００９】
請求項２に係る発明は、請求項１に係る発明の清掃用具であって、前記底板部は、前記含水層よりもおもて側の層として、非透水性を有する材質からなる非透水層を有する、清掃用具である。
【００１０】
この発明の清掃用具では、請求項１に係る発明の清掃用具の作用効果に加えて、次の作用効果が得られる。
すなわち、この清掃用具は、含水層よりもおもて側の面の層として非透水層を有しているため、含水層に含浸した洗浄液が直接的には使用者の足に接触せず、その洗浄液によって使用者の足の皮膚が荒れることを防止又は低減することができる。
【００１１】
請求項３に係る発明は、請求項２に係る発明の清掃用具であって、前記非透水層は、さらに、弾性的な可撓性を有する材質からなるものである、清掃用具である。
【００１２】
この発明の清掃用具では、請求項２に係る発明の清掃用具の作用効果に加えて、次の作用効果が得られる。
すなわち、この清掃用具では、全体としても弾性的な可撓性が得られることが可能となる。このため、その場合は、床に凹凸等がある場合においても、使用者の足とともにこの清掃用具が全体として変形することによって、その凹凸等に含水層が到達し、その凹凸等の部分も確実に清掃することができる。
【００１３】
請求項４に係る発明は、請求項１〜請求項３のいずれかに係る発明の清掃用具であって、前記底板部の先端部には、上方に向かって湾曲する爪先保護部が形成されている、清掃用具である。
【００１４】
この発明の清掃用具では、請求項１〜請求項３のいずれかに係る発明の清掃用具の作用効果に加えて、次の作用効果が得られる。
すなわち、この清掃用具では、底板部の先端部に爪先保護部が形成されているために、使用者が壁に向かって足を滑らせた場合でも、使用者の爪先が直接的に壁に衝突することが防止される。
【００１５】
請求項５に係る発明は、請求項１〜請求項４のいずれかに係る発明の清掃用具であって、前記底板部のうち前記使用者の踵に該当する部分には、使用の際に当該踵が露出し前記床に接触する踵露出用孔部が形成されている、清掃用具である。
【００１６】
この発明の清掃用具では、請求項１〜請求項４に係る発明の清掃用具の作用効果に加えて、次の作用効果が得られる。
すなわち、この清掃用具では、踵露出用孔部を通して踵が露出して床に接触するために、その踵において床との間の滑り止めが図られ、使用者が足を滑らせることを防止することができる。
【００１７】
請求項６に係る発明は、請求項１〜請求項４のいずれかに係る発明の清掃用具であって、前記底板部のうち前記使用者の踵に該当する部分は欠落している、清掃用具である。
【００１８】
この発明の清掃用具では、請求項１〜請求項４に係る発明の清掃用具の作用効果に加えて、次の作用効果が得られる。
すなわち、この清掃用具では、踵露出用孔部を通して踵が露出して床に接触するために、その踵において床との間の滑り止めが図られ、使用者が足を滑らせることを防止することができる。
【００１９】
請求項７に係る発明は、請求項１〜請求項４のいずれかに係る発明の清掃用具であって、前記底板部のうち前記使用者の踵に該当する部分には、使用の際に前記床に吸着する吸着材が設けられている、清掃用具である。
【００２０】
この発明の清掃用具では、請求項１〜請求項４に係る発明の清掃用具の作用効果に加えて、次の作用効果が得られる。
すなわち、この清掃用具では、吸着材において床との間の滑り止めが図られ、使用者が足を滑らせることを防止することができる。
【図面の簡単な説明】
【００２１】
【図１】本発明の実施例１の清掃用具を示す斜視図である。
【図２】本発明の実施例１の清掃用具の使用状態を示す縦断面図である。
【図３】本発明の実施例１の清掃用具のうちの一例に特有な使用状態を示す縦断面図である。
【図４】本発明の実施例２の清掃用具を示す側面図である。
【図５】本発明の実施例２の変形例の清掃用具を示す側面図である。
【図６】本発明の実施例３の清掃用具を示す図である。（ａ）は斜視図であり、（ｂ）は使用状態を示す縦断面図である。
【図７】本発明の実施例４の清掃用具を示す図である。（ａ）は斜視図であり、（ｂ）は使用状態を示す縦断面図である。
【図８】本発明の実施例５の清掃用具を示す図である。（ａ）は斜視図であり、（ｂ）は使用状態を示す縦断面図である。
【発明を実施するための形態】
【００２２】
［実施例１］
次に、本発明の実施例１について、図１〜図３に基づいて説明する。
この清掃用具は、使用者の足に装着して使用される。このため、履物（サンダル）としてとらえて、清掃用履物（清掃用サンダル）と称することも可能である。
この清掃用具は、一般的には左右一対で一組とされるが（あえて一方のみでもよい）、図面上は便宜的にそのうちの一方のみを示す（以下同様である）。
図１及び図２に示すように、この清掃用具は、底板部１０及び鼻緒９０を有している。
【００２３】
底板部１０は、使用者の足の形状に対応した形状を有しており、足の大きさよりも若干大きな大きさを有している。
底板部１０は、おもて層１１及び含水層１２によって形成されている。
【００２４】
おもて層１１は、おもて側（上側）の層であり、含水層１２よりも薄く形成されている。おもて層１１は、ゴム，合成樹脂等、非透水性を有し、弾性的な可撓性を有する材質にによって形成されている。このおもて層が、本発明の非透水層に該当する。
【００２５】
含水層１２は、おもて層１１の下側において底板部１０の大半を占める層である。含水層１２は、スポンジ等、含水性（正確には、洗浄液等の液体を含む性質）を有するとともに、弾性的に変形（圧縮）可能な材質によって形成されている。
【００２６】
鼻緒９０は、ゴム，合成樹脂等によって形成されている。
鼻緒９０の３つの各端部（先端部，左右一対の後端部）に対応して底板部１０のおもて層１１に取付孔（符号省略）が形成されており、鼻緒９０の３つの各端部近傍は各取付孔に挿通されている。鼻緒９０の３つの各端部には抜け止め部９１が形成され、底板部１０からの鼻緒９０の抜け止めがされている。
【００２７】
鼻緒９０には、２点鎖線で示すように、踵保持材９２が設けられていてもよい。踵保持材９２は、特に、長さ調整機能を有しているものであることが望ましい。
【００２８】
次に、この清掃用具の使用方法及び作用効果について説明する。
図２に示すように、使用者は、両足（又は片足）に清掃用具を装着するとともに、清掃用具の含水層１２に洗浄液を含浸させる。
【００２９】
そして、その足（次述の操作を行おうとする足）に所定の体重をかけて、清掃用具（含水層１２）を浴室等の床Ｆに対して圧接する。その状態で、床Ｆ上において足を各種の方向に移動させることによって、含水層１２によって床Ｆを擦る。こうして、その床Ｆの清掃が行われる。
【００３０】
このようにして、使用者は、手で清掃を行っていた従来とは異なり、腰を屈めることなく床Ｆの清掃を行うことができ、腰痛等の発生を防止することができる。
また、その際、操作を行う足に体重をかけることによって含水層１２を床Ｆに対して強く圧接させることができるため、床Ｆを効果的に清掃することができる。
また、使用者は、腰を屈める必要がないために、使用者のスカート等の被服が濡れるおそれもなく、靴下を脱ぐのみで足りることとなる。
さらには、使用者は、この清掃用具を使用することによって、洗浄液によって手が荒れることを防止することもできる。
【００３１】
なお、鼻緒９０に踵保持材９２が設けられている場合には、使用中に、この清掃用具が足から外れることが防止され、便利である。
【００３２】
また、この清掃用具は、非透水性を有するおもて層１１を有しているため、含水層１２に含浸した洗浄液が直接的には使用者の足に接触せず、その洗浄液によって使用者の足の皮膚が荒れることが防止又は低減される。
【００３３】
また、含水層１２とともにおもて層１１も可撓性を有しているため、全体としても可撓性を有することとなり、次の作用効果も得られる。特に、可撓性が大きい場合は、その効果は顕著となる。
すなわち、図３に示すように、床Ｆの縁近傍であって壁との境界部分（入隅部）Ｃや、床Ｆに設けられた溝Ｄのような、平面状ではない部分においても、足の操作によって、おもて層１１とともに含水層１２が、その清掃の対象の形状に対応して弾性的に変形する（含水層１２は圧縮される）。こうして、平面状ではない部分も、容易に適切に清掃することができる。
【００３４】
［実施例２］
次に、本発明の実施例２について、実施例１との相違点を中心に、図４に基づいて説明する。実施例１と同一の要素については、同一の符号を付して、その説明を適宜省略する。このことは以下同様である。
【００３５】
この清掃用具には爪先保護部２３が形成されている。すなわち、おもて層１１の先端部が上方に湾曲しており、含水層１２もそれに追従した形状を有している。
【００３６】
以上のため、この清掃用具では、使用中に壁に向かって足を滑らせた場合においても、その爪先が直接的に壁に衝突することが防止され、安全に使用することができる。
特に、浴室等の水気を有する床においては、足を滑らせやすいが、爪先保護部２３によって安全に清掃を行うことができる。
【００３７】
上述の実施例２の変形例について、図５に基づいて説明する。
この清掃用具では、爪先保護部２３にブラシ３４が設けられている。このため、そのブラシ３４によって、壁（床の近傍）の清掃も行うことができる。
【００３８】
［実施例３］
次に、本発明の実施例３について、実施例１との相違点を中心に、図６に基づいて説明する。
この清掃用具においては、底板部１０のうちの使用者の踵に該当する部分には、おもて層１１及び含水層１２にわたって、踵露出用孔部４５が形成されている。
【００３９】
このため、使用者の足に装着した際には、使用者の足の踵は、踵露出用孔部４５を通して露出する。そして、少なくとも、その足に所定以上の体重をかけることによって含水層１２が薄くなった際には、その踵が床Ｆに対して接触（圧接）する（そのようになるように、踵露出用孔部４５の大きさが設定されている）。
こうして、その踵において床Ｆとの間の滑り止めが図られ、使用者が足を滑らせることが防止される。なお、その際、予め、その踵に滑り止め用の処置（滑り止め用のシールの貼着等）が行われると、さらに効果的である。
【００４０】
［実施例４］
次に、本発明の実施例４について、実施例１及び３との相違点を中心に、図７に基づいて説明する。
この清掃用具では、底板部１０（おもて層１１及び含水層１２）のうち、使用者の足の踵に該当する部分が存在しない（欠落している）。すなわち、使用者の踵に対応する部分には、踵露出用切欠部５５が形成されているといえる。
【００４１】
このため、使用者の足に装着した際には、使用者の足の踵が、踵露出用切欠部５５を通して露出し、その踵が床Ｆに対して接触（圧接）する。
こうして、その踵において床Ｆとの間の滑り止めが図られ、使用者が足を滑らせることが防止される。なお、その際、予め、その踵に滑り止め用の処置（滑り止め用のシールの貼着等）が行われると、さらに効果的である。
【００４２】
［実施例５］
次に、本発明の実施例５について、実施例１との相違点を中心に、図８に基づいて説明する。
この清掃用具においては、使用者の踵に該当する部分において、含水層１２には孔部６５が形成され、その部分に複数の円筒状の吸盤６６（吸着材）が設けられている。各吸盤６６はおもて層１１に対して固定されている。
【００４３】
このため、この清掃用具は、一方の足（図８に図示）においては踵に体重をかけて吸盤６６を床Ｆに吸着させ当該一方の足を固定させ、他方の足（図８に図示しない）においては踵を浮かせて吸盤６６が床Ｆに吸着しないようにして、当該他方の足で床Ｆを擦るようにして使用される。
こうして、この清掃用具では、吸盤６６において床Ｆとの間の滑り止めが図られ、その足を滑らせることが防止される。
【００４４】
なお、上記のものはあくまで本発明の数例の実施例にすぎず、当業者の知識に基づき種々の変更を加えた態様で本発明を実施できることはもちろんである。
【符号の説明】
【００４５】
１０  底板部
１１  おもて層（非透水層）
１２  含水層
２３  爪先保護部
４５  踵露出用孔部
５５  踵露出用切欠部
６６  吸盤（吸着材）
【図１】
2011067324.tif 000003
【図２】
2011067324.tif 000004
【図３】
2011067324.tif 000005
【図４】
2011067324.tif 000006
【図５】
2011067324.tif 000007
【図６】
2011067324.tif 000008
【図７】
2011067324.tif 000009
【図８】
2011067324.tif 000010